【手続補正書】
【提出日】平成16年11月29日(2004.11.29)
【手続補正１】
【補正対象書類名】特許請求の範囲
【補正対象項目名】全文
【補正方法】変更
【補正の内容】
【特許請求の範囲】
【請求項１】
電気通信装置であって、
音響信号(acourstic signals)を受信するとともに、受信した前記音響信号を、対応する電気信号に変換する手段、
前記音響信号受信手段に接続されており、電気通信ネットワークへの送信のために前記音響信号受信手段によって受信された音響信号を処理するオーディオ処理手段、および、
前記響信号受信手段に接続されており、前記電気通信ネットワークに対してデータを供給するため、前記音響信号受信手段によって受信された音響信号により搬送されたデータ信号を再生するデータ処理手段、
を備えたことを特徴とするもの。
【請求項２】
請求項１にかかる電気通信装置において、
前記音響信号受信手段は、前記オーディオ処理手段および前記データ処理手段に共通に設けられたマイク、
を備えたことを特徴とするもの。
【請求項３】
請求項１又は請求項２にかかる電気通信装置において、
前記データ処理手段は、前記データ信号を復調する復調器を備えたことを特徴とするもの。
【請求項４】
請求項３にかかる電気通信装置において、前記復調器は、
ある発振周波数を有する発振信号を生成する手段、
受信した音響信号をスペクトル的に分析する(spectrally analysing)手段、および、
前記受信音響信号の前記スペクトル分析に基づいて前記発振周波数を変更する手段、
を備えたことを特徴とするもの。
【請求項５】
前記いずれかの請求項にかかる電気通信装置において、
前記データ信号は、拡散スペクトラム信号であり、前記電気通信装置は、さらに、前記拡散スペクトラム信号を再生データに処理するためのデコーダー、
を備えたことを特徴とするもの。
【請求項６】
請求項５にかかる電気通信装置において、
前記拡散スペクトラム信号は、ディレクトシーケンス拡散スペクトラム信号(direct sequence spread spectrum signal)であり、
前記デコーダーは、
疑似ノイズコードを生成する手段、
生成された前記疑似ノイズコードと前記ディレクトシーケンス拡散スペクトラム信号によって搬送されるコードシーケンスを同期させる手段、および
前記ディレクトシーケンス拡散スペクトラム信号を拡散させないため(de-spread)、同期した前記疑似ノイズコードと前記ディレクトシーケンス拡散スペクトラム信号を乗算する手段、
を備えたことを特徴とするもの。
【請求項７】
請求項５にかかる電気通信装置において、
前記拡散スペクトラム信号は、ディレクトシーケンス拡散スペクトラム信号であり、
前記デコーダーは、
疑似ノイズコードを生成する手段、および
前記ディレクトシーケンス拡散スペクトラム信号を拡散させないため、前記ディレクトシーケンス拡散スペクトラム信号によって搬送されるコードシーケンスと前記生成された疑似ノイズコードを相関させる相関器、
を備えたことを特徴とするもの。
【請求項８】
前記いずれかの請求項にかかる電気通信装置において、
さらに、前記データ信号により与えられた前記データに応答する応答手段、を備えたことを特徴とするもの。
【請求項９】
請求項８にかかる電気通信装置において、
前記応答手段は、前記データ信号により与えられた情報を記憶する手段、を備えたことを特徴とするもの。
【請求項１０】
請求項８又は請求項９にかかる電気通信装置において、
さらに、ユーザーに対し、情報を表示するデイスプレイ、を備えており、
前記応答手段は、前記データ信号により搬送された情報をデイスプレイ上に表示するよう動作可能であること、
を特徴とするもの。
【請求項１１】
請求項８から請求項１０のいずれかにかかる電気通信装置において、
前記応答手段は、前記データ信号により与えられたデータに応じ、前記電気通信装置を、前記電気通信装置が音響信号を発しないサイレントモード、に切り換えるよう構成されていること  を特徴とするもの。
【請求項１２】
請求項８から請求項１１のいずれかにかかる電気通信装置において、
前記応答手段は、前記データ信号により与えられたデータに応じ、前記電気通信装置を、前記電気通信装置が無線周波数信号を発しないモードに切り換えるよう構成されていることを特徴とするもの。
【請求項１３】
請求項８から請求項１２のいずれかにかかる電気通信装置において、
前記応答手段は、前記データ信号により与えられたデータに応じてコンピュータープログラムを実行する手段、を備えたことを特徴とするもの。
【請求項１４】
請求項１３にかかる電気通信装置において、
前記コンピュータープログラムは、前記データ信号によって搬送され、前記電気通信装置は、さらに、前記コンピュータープログラムをデータ記憶装置内に記憶させる手段、を備えたことを特徴とするもの。
【請求項１５】
請求項１３にかかる電気通信装置において、
さらに、前記コンピュータープログラムを記憶するデータ記憶装置を備えており、前記実行手段は、前記データ信号により搬送された初期化信号に応じて、データ記憶装置内に記憶されたコンピュータープログラムを実行するよう動作可能であることを特徴とするもの。
【請求項１６】
請求項１５にかかる電気通信装置において、
前記初期化信号は、時間遅延情報を含んでおり、
前記応答手段は、
受信された音響信号により搬送される初期化信号の時間遅延情報を識別する手段、および
前記識別された時間遅延情報に基づく期間だけ、前記コンピュータープログラムの実行を遅延させる手段、
を備えたことを特徴とするもの。
【請求項１７】
請求項１３から請求項１６のいずれかにかかる電気通信装置において、
前記実行手段は、Javaプリケーションファイルを実行するよう動作可能であることを特徴とするもの。
【請求項１８】
請求項８から請求項１７のいずれかにかかる電気通信装置において、前記応答手段は、
前記電気通信ネットワークを介し、前記データ信号により与えられたデータから識別可能な電気通信アドレスを有する遠隔の情報ソースに対し、信号を出力する手段、および
前記電気通信ネットワークを介し、前記情報ソースから情報を受信する手段、
を備えたことを特徴とするもの。
【請求項１９】
請求項１８にかかる電気通信装置において、さらに、
前記データ信号により搬送される電気通信アドレスを記憶する手段、
電気通信アドレスが前記記憶手段内に記憶された場合に、ユーザーに通知する手段、
ユーザーの入力を受け付けるユーザーインターフェース、を備えており、
前記出力手段は、前記ユーザーインターフェースを介したユーザーの入力に応じ、前記信号を前記遠隔の情報ソースに出力するよう構成されたこと、
を特徴とするもの。
【請求項２０】
請求項１９にかかる電気通信装置において、
前記通知手段は、ユーザーに対して情報を表示するデイスプレイ、を備えたことを特徴とするもの。
【請求項２１】
請求項１９又は請求項２０にかかる電気通信装置において、
前記ユーザーインターフェースは、複数のキーを有するキーボード、を備えたことを特徴とするもの。
【請求項２２】
請求項２１にかかる電気通信装置において、
前記複数のキーの一つは、ユーザー入力の受け付け専用であり、ユーザー入力に応じ、前記出力手段が、前記遠隔の情報ソース対して前記信号を出力するよう動作可能であることを特徴とするもの。
【請求項２３】
請求項１８から請求項２２のいずれかにかかる電気通信装置において、
前記データ信号により与えられる前記データは、電話番号、を含んでおり、前記電気通信装置は、前記電気通信ネットワークを介し、前記電話番号に対応する前記電気通信アドレスに対して信号を送信する手段、を備えたことを特徴とするもの。
【請求項２４】
請求項１８から請求項２２のいずれかにかかる電気通信装置において、
前記データ信号により与えられる前記データは、ＵＲＬを含んでおり、前記電気通信装置は、前記電気通信ネットワークを介し、前記ＵＲＬに対応する前記電気通信アドレスに対して信号を送信する手段、を備えたことを特徴とするもの。
【請求項２５】
請求項１８から請求項２２のいずれかにかかる電気通信装置において、
前記データ信号により与えられる前記データは、インターネットプロトコルアドレスを含んでおり、前記電気通信装置は、前記電気通信ネットワークを介し、前記インターネットプロトコルアドレスに対して信号を送信する手段、を備えたことを特徴とするもの。
【請求項２６】
請求項１８から請求項２２のいずれかにかかる電気通信装置において、
前記データ信号により与えられる前記データは、ルックアップテーブル用のインデックス値を含んでおり、当該ルックアップテーブルは、複数のインデックス値のそれぞれを、複数の電気通信アドレスの各々に関連づけ、前記電気通信装置は、前記ルックアップテーブル中の受信インデックス値に関連づけられた前記電気通信アドレスに対し、信号を送信する手段、を備えたことを特徴とするもの。
【請求項２７】
請求項２６にかかる電気通信装置において、さらに、
前記ルックアップテーブルを記憶するよう構成された記憶手段、を備えたことを特徴とするもの。
【請求項２８】
請求項２６にかかる電気通信装置において、
前記送信手段は、前記電気通信ネットワークを介し、そこに前記ルックアップテーブルが記憶されている所定の電気通信アドレスに対し、前記インデックス値を送信するよう構成されたこと  を特徴とするもの。
【請求項２９】
請求項８から請求項１７のいずれかにかかる電気通信装置において、前記応答手段は、
前記電気通信ネットワークを介し、所定の電気通信アドレスに対して前記データ信号により与えられるデータを含む信号を出力する手段、を備えたことを特徴とするもの。
【請求項３０】
請求項２９にかかる電気通信装置において、さらに、
前記電気通信装置のユーザーに関連づけられたユーザー情報を記憶するデータ記憶装置、を備えており、
前記出力手段は、前記データ信号により与えられたデータ、および、前記データ記憶装置内に記憶された前記ユーザー情報、を含む信号を出力するよう動作可能であることを特徴とするもの。
【請求項３１】
請求項２９又は請求項３０のいずれかにかかる電気通信装置において、さらに、
前記電気通信装置の位置を特定する手段、を備えており、
前記出力手段は、前記データ信号により与えられたデータ、および、前記電気通信装置の特定された位置を識別するデータ、を含む信号を出力するよう動作可能であることを特徴とするもの。
【請求項３２】
請求項２９から請求項３１のいずれかにかかる電気通信装置において、
前記電気通信装置は、さらに、
前記電気通信ネットワークを介し、前記所定の電気通信アドレスから前記出力信号に基づいて変化する情報信号を受信する手段、を備えたことを特徴とするもの。
【請求項３３】
前記いずれかの請求項にかかる電気通信装置において、さらに、
前記オーディオ処理手段を使用できなくし(disabled)、前記データ処理手段を使用可能とする(enabled)よう前記電気通信装置を設定する手段、を備えたことを特徴とするもの。
【請求項３４】
請求項８から請求項３３のいずれかにかかる電気通信装置において、
前記データ信号は、少なくとも一の疑似ノイズコードを含んでおり、前記応答手段は、前記少なくとも一の疑似ノイズコードを用い、前記データ処理手段に受信拡散スペクトラム信号をデコードさせるように構成するよう動作可能であることを特徴とするもの。
【請求項３５】
通信システムであって、
データ信号を搬送する電気信号を生成する手段、
前記生成手段に接続されており、前記電気信号を、対応する音響信号に変換する電気−音響変換器(electric-acoustic transducer)、
電気通信ネットワークに接続された電気通信装置であって、かかる電気通信装置は、音響信号を受信するとともに、前記受信した音響信号を、対応する電気信号に変換する音響−電気変換器(acousto-electric transducer)、および、前記音響−電気変換器に接続された手段であって、前記電気通信ネットワークへの送信のため、前記変換器により受信した音響信号を処理するもの、ならびに、
前記電気通信装置の前記音響−電気変換器により受信された音響信号から前記データ信号を再生する手段、
を備えたことを特徴とするもの。
【請求項３６】
請求項３５にかかる通信システムにおいて、さらに、
前記電気−音響変換器を用い、放送用のオーディオ信号中の前記データ信号を符号化するエンコーダー、を備えたことを特徴とするもの。
【請求項３７】
請求項３６にかかる通信システムにおいて、
前記エンコーダーは、変調信号を形成するために前記データを変調する手段を備え、前記再生手段は、前記音響−電気変換器により受信された前記電気信号を復調する手段、を備えたことを特徴とするもの。
【請求項３８】
請求項３７にかかる通信システムにおいて、
前記変調手段は、i)ある発振周波数を有する発振信号を生成する手段、ii)ピーク周波数の範囲を特定するため、前記オーディオ信号を分析する手段、および、iii)前記特定されたピークの周波数範囲内となるよう前記発振信号の発振周波数を変更する手段、を備えており、
前記復調手段は、i)ある発振周波数を有する発振信号を生成する手段、ii)ピーク周波数範囲を特定するため前記音響−電気変換器により受信された前記電気信号を分析する手段、およびiii)前記特定されたピーク周波数範囲に基づき、前記発振信号の前記発振周波数を変更する手段、
を備えたことを特徴とするもの。
【請求項３９】
請求項３６から請求項３８のいずれかにかかる通信システムにおいて、
前記エンコーダーは、前記電気−音響変換器により放送用の拡散スペクトラム信号を生成するため、前記データ信号を拡散する手段を備え、前記再生手段は、前記データ信号を再生するため、前記音響−電気変換器により受信された前記拡散スペクトラム信号を処理するデコーダー、を備えたことを特徴とするもの。
【請求項４０】
請求項３９にかかる通信システムにおいて、
前記拡散手段は、第一の疑似ノイズコードを生成するよう動作可能な第一の疑似ノイズコード生成器を備えており、前記拡散手段は、ディレクトシーケンス拡散スペクトラム信号を生成するため、前記第一疑似ノイズコードを用いてディレクトシーケンス拡散スペクトラムエンコーディングを実行するよう動作可能であることを特徴とするもの。
【請求項４１】
請求項４０にかかる通信システムにおいて、
前記拡散手段は、前記データ信号の各データエレメントと前記第一疑似ノイズコードの一部を組み合わせるよう動作可能であることを特徴とするもの。
【請求項４２】
請求項４０にかかる通信システムにおいて、
前記拡散手段は、さらに、前記第一疑似ノイズコードとは異なる第二の疑似ノイズコード生成するよう動作可能な第二擬似ノイズコード生成手段、を備えており、
前記拡散手段は、前記データエレメントの値に基づき、前記データ信号の各データエレメントと、前記第一疑似ノイズコード又は前記第二疑似ノイズコードのいずれかからのコードシーケンスを組み合わせるよう構成されたことを特徴とするもの。
【請求項４３】
請求項４２にかかる通信システムにおいて、
前記第二疑似ノイズコード生成器は、前記第一疑似ノイズコードと直交する第二疑似ノイズコードを生成するよう構成されたことを特徴とするもの。
【請求項４４】
請求項４０から請求項４３のいずれかにかかる通信システムにおいて、前記再生手段の前記デコーダーは、
疑似ノイズコードを生成する手段、
生成された前記疑似ノイズコードと前記ディレクトシーケンス拡散スペクトラム信号によって搬送されるコードシーケンスを同期させる手段、および
前記ディレクトシーケンス拡散スペクトラム信号を拡散させないため、同期した前記疑似ノイズコードと前記ディレクトシーケンス拡散スペクトラム信号を乗算する手段、
を備えたことを特徴とするもの。
【請求項４５】
請求項４０から請求項４３のいずれかにかかる通信システムにおいて、前記再生手段の前記デコーダーは、
疑似ノイズコードを生成する手段、および
前記ディレクトシーケンス拡散スペクトラム信号を拡散させないため、前記ディレクトシーケンス拡散スペクトラム信号によって搬送されるコードシーケンスと前記生成された疑似ノイズコードを相関させる相関器、
を備えたことを特徴とするもの。
【請求項４６】
請求項３６から請求項４５のいずれかにかかる通信システムにおいて、
前記エンコーダーは、さらに、調整済オーディオ信号を生成するため、前記オーディオ信号と前記データ信号を混合するオーディオミキサー、を備えたことを特徴とするもの。
【請求項４７】
請求項４６にかかる通信システムにおいて、
前記オーディオミキサーは、少なくとも一の重み係数に基づいて加重加算を実行することにより、前記処オーディオ信号と前記データ信号を組み合わせる手段、を備えたことを特徴とするもの。
【請求項４８】
請求項４７にかかる通信システムにおいて、
前記組み合わせ手段は、さらに、前記少なくとも一の重み係数を変更する手段、を備えたことを特徴とするもの。
【請求項４９】
請求項４８にかかる通信システムにおいて、前記変更手段は、
前記オーディオ信号の調性のレベルを決定する手段、および
前記処理済オーディオ信号および前記データ信号のため、前記オーディオ信号の調性の前記決定されたレベルに基づき、前記少なくとも一の重み係数を設定する手段、
を備えたことを特徴とするもの。
【請求項５０】
請求項４６にかかる通信システムにおいて、前記オーディオミキサーは、
モデル化信号を生成するため、前記オーディオ信号をモデル化する手段、
残留信号を生成するため、前記モデル化信号と前記オーディオ信号の差分をとる手段、および
整形済信号を形成するため、前記残留信号に基づいて前記データ信号をスペクトル的に整形する手段、
を備えたことを特徴とするもの。
【請求項５１】
請求項５０にかかる通信システムにおいて、前記モデル化手段は、
前記オーディオ信号を表す複数の係数を生成するため、時系列モデルを適用する手段、および
前記生成係数を用い、前記モデル化信号を合成する手段、を備えたことを特徴とするもの。
【請求項５２】
請求項５０又は請求項５１にかかる通信システムにおいて、前記整形手段は、
複数の第一周波数係数を生成するため、前記残存信号をスペクトル的に分析する手段、
前記複数の第一周波数係数に基づき、複数のスケーリング要素を合成する手段、
複数の第二周波数係数を生成するため、前記データ信号をスペクトル的に分析する手段、
複数のスケール済の係数を生成するため、前記複数のスケーリング要素を用い、前記複数の第二周波数係数をスケーリングする手段、および
前記複数のスケール済の係数を用い、前記整形済信号を生成する手段、
を備えたことを特徴とするもの。
【請求項５３】
請求項３５から請求項５２のいずれかにかかる通信システムにおいて、
前記電気−音響変換器は、メディア放送ネットワーク(media broadcast network)により前記生成手段に接続されていることを特徴とするもの。
【請求項５４】
請求項５３にかかる通信システムにおいて、
前記メディア放送ネットワークは、テレビネットワークであり、前記電気−音響変換器は、テレビの一部を構成することを特徴とするもの。
【請求項５５】
請求項５３にかかる通信システムにおいて、
前記メディア放送ネットワークは、ラジオネットワークであり、前記電気−音響変換器は、ラジオの一部を構成することを特徴とするもの。
【請求項５６】
請求項３５から請求項５２のいずれかにかかる通信システムにおいて、さらに、前記データ信号を記憶する記憶媒体を備え、
前記生成手段は、前記記録媒体により記録されている前記データ信号を読み取ることにより、前記データ信号を搬送する前記電気信号を生成するよう動作可能であることを特徴とするもの。
【請求項５７】
請求項５６にかかる通信システムにおいて、
前記記録媒体は、コンパクトデイスクであることを特徴とするもの。
【請求項５８】
請求項５６にかかる通信システムにおいて、
前記記録媒体は、デジタル多用途ディスクであることを特徴とするもの。
【請求項５９】
請求項３５から請求項５２のいずれかにかかる通信システムにおいて、
前記電気−音響変換器は、構内放送ネットワーク(public address network)により前記生成手段に接続されていることを特徴とするもの。
【請求項６０】
請求項３５から請求項５９のいずれかにかかる通信ネットワークにおいて、
前記再生手段は、前記電気通信ネットワークの一部を構成することを特徴とするもの。
【請求項６１】
請求項３５から請求項５９のいずれかにかかる通信システムにおいて、
前記再生手段は、前記電気通信装置の一部を構成することを特徴とするもの。
【請求項６２】
請求項６１にかかる通信システムにおいて、
前記再生手段は、さらに、前記データ信号により与えられる前記データに応答する応答手段、を備えたことを特徴とするもの。
【請求項６３】
請求項６２にかかる通信システムにおいて、
前記応答手段は、前記データ信号により与えられる情報を記憶する手段、を備えたことを特徴とするもの。
【請求項６４】
請求項６２又は請求項６３にかかる通信システムにおいて、
前記電気通信装置は、さらに、デイスプレイを備えており、
前記応答手段は、前記データ信号により搬送された情報をデイスプレイ上に表示するよう動作可能であることを特徴とするもの。
【請求項６５】
請求項６２又は請求項６３にかかる通信システムにおいて、
前記応答手段は、前記データ信号により与えられたデータに応じ、前記電気通信装置を、前記電気通信装置が音響信号を発しないサイレントモードに切り換えるよう構成されていることを特徴とするもの。
【請求項６６】
請求項６２から請求項６５のいずれかにかかる通信システムにおいて、
前記応答手段は、前記データ信号により与えられたデータに応じ、前記電気通信装置を、前記電気通信装置が無線周波数信号を発しないモードに切り換えるよう構成されていることを特徴とするもの。
【請求項６７】
請求項６２から請求項６５のいずれかにかかる通信システムにおいて、
前記応答手段は、前記データ信号により与えられたデータに応じてコンピュータープログラムを実行する手段、を備えたことを特徴とするもの。
【請求項６８】
請求項６７にかかる通信システムにおいて、
前記コンピュータープログラムは、前記データ信号によって搬送され、前記電気通信装置は、さらに、前記コンピュータープログラムをデータ記憶装置内に記憶させる手段、を備えたことを特徴とするもの。
【請求項６９】
請求項６７にかかる通信システムにおいて、
前記電気通信装置は、さらに、前記コンピュータープログラムを記憶するデータ記憶装置を備えており、前記実行手段は、前記データ信号により搬送された初期化信号に応じて、データ記憶装置内に記憶されたコンピュータープログラムを実行するよう動作可能であることを特徴とするもの。
【請求項７０】
請求項６７から請求項６９のいずれかにかかる通信システムにおいて、
前記実行手段は、Javaプリケーションファイルを実行するよう動作可能であることを特徴とするもの。
【請求項７１】
請求項６２から請求項７０のいずれかにかかる通信システムにおいて、
前記応答手段は、
前記電気通信ネットワークを介し、前記データ信号により与えられたデータから識別可能な電気通信アドレスを有する遠隔の情報ソースに対し、信号を出力する手段、および
前記電気通信ネットワークを介し、前記情報ソースから情報を受信する手段、
を備えたことを特徴とするもの。
【請求項７２】
請求項７１にかかる通信システムにおいて、前記変更手段は、さらに、
前記データ信号により搬送される電気通信アドレスを記憶する手段、
電気通信アドレスが前記記憶手段内に記憶された場合に、ユーザーに通知する手段、および
ユーザーの入力を受け付けるユーザーインターフェース、を備えており、
前記出力手段は、前記ユーザーインターフェースを介したユーザーの入力に応じ、前記信号を前記遠隔の情報ソースに出力するよう構成されたことを特徴とするもの。
【請求項７３】
請求項７２にかかる通信システムにおいて、
前記通知手段は、ユーザーに対して情報を表示するデイスプレイ、を備えたことを特徴とするもの。
【請求項７４】
請求項７２又は請求項７３にかかる通信システムにおいて、
前記ユーザーインターフェースは、複数のキーを有するキーボード、を備えたことを特徴とするもの。
【請求項７５】
請求項７４にかかる通信システムにおいて、
前記複数のキーの一つは、ユーザー入力の受け付け専用であり、ユーザー入力に応じ、前記出力手段が、前記遠隔の情報ソース対して前記信号を出力するよう動作可能であることを特徴とするもの。
【請求項７６】
請求項７１から請求項７５のいずれかにかかる通信システムにおいて、
前記データ信号により与えられる前記データは、電話番号、を含んでおり、前記電気通信装置は、前記電気通信ネットワークを介し、前記電話番号に対応する前記電気通信アドレスに対して信号を送信する手段、を備えたことを特徴とするもの。
【請求項７７】
請求項７１から請求項７５のいずれかにかかる通信システムにおいて、
前記データ信号により与えられる前記データは、ＵＲＬを含んでおり、前記電気通信装置は、前記電気通信ネットワークを介し、前記ＵＲＬに対応する前記電気通信アドレスに対して信号を送信する手段、を備えたことを特徴とするもの。
【請求項７８】
請求項７１から請求項７５のいずれかにかかる通信システムにおいて、
前記データ信号により与えられる前記データは、インターネットプロトコルアドレスを含んでおり、前記電気通信装置は、前記電気通信ネットワークを介し、前記インターネットプロトコルアドレスに対して信号を送信する手段、を備えたことを特徴とするもの。
【請求項７９】
請求項７１から請求項７５のいずれかにかかる通信システムにおいて、
前記データ信号により与えられる前記データは、ルックアップテーブル用のインデックス値を含んでおり、当該ルックアップテーブルは、複数のインデックス値のそれぞれを、複数の電気通信アドレスの各々に関連づけ、前記電気通信装置は、前記ルックアップテーブル中の受信インデックス値に関連づけられた前記電気通信アドレスに対し、信号を送信する手段、を備えたことを特徴とするもの。
【請求項８０】
請求項７９にかかる通信システムにおいて、前記電気通信装置は、さらに、
前記ルックアップテーブルを記憶するよう構成された記憶手段、を備えたことを特徴とするもの。
【請求項８１】
請求項７９にかかる通信システムにおいて、
前記電気通信ネットワークに接続されたサーバーであって、当該サーバーは、前記ルックアップテ−ブルを記憶し、
前記送信手段は、前記電気通信ネットワークを介し、そこに前記ルックアップテーブルが記憶されているサーバーに対して前記インデックス値を送信するよう構成されたことを特徴とするもの。
【請求項８２】
請求項６２から請求項８１のいずれかにかかる通信システムにおいて、
前記応答手段は、前記電気通信ネットワークを介し、前記データ信号により与えられたデータを含む信号を遠隔装置に対して送信する手段、を備えていることを特徴とするもの。
【請求項８３】
請求項８２にかかる通信システムにおいて、
前記電気通信装置は、さらに、前記電気通信装置の位置を特定する手段を備えており、
前記出力手段は、前記データ信号により与えられたデータ、および、前記電気通信装置の特定された位置を識別するデータ、を含む信号を出力するよう動作可能であることを特徴とするもの。
【請求項８４】
請求項８２又は請求項８３にかかる通信システムにおいて、前記遠隔装置は、
前記電気通信装置により出力された前記出力信号に応じて変更される情報信号を生成する手段、および
前記情報信号を、前記電気通信装置に送信する手段、
を備えたことを特徴とするもの。
【請求項８５】
請求項６２から請求項８４のいずれかにかかる通信システムにおいて、さらに、
前記電気通信ネットワークに接続された情報ソースであって、当該情報ソースは、i)各々の情報信号が、複数のデータ識別子のそれぞれに対応する、複数の情報信号を記憶する手段、ii)前記電気通信ネットワークからデータ識別子を受信する手段、およびiii)受信したデータ識別子に対応する前記情報信号を出力する手段、を備えており、
前記生成手段は、データ識別子を搬送する電気信号を生成するよう構成され、ならびに、
前記応答手段は、i)前記データ信号により与えられたデータ識別子を含む信号を、前記電気通信ネットワークを介して前記情報ソースに出力する手段、ii)前記電気通信ネットワークを介し、前記情報ソースから、前記出力データ識別子に対応する前記情報信号、を受信する手段、
を備えたことを特徴とするもの。
【請求項８６】
請求項３５から請求項８５のいずれかにかかる通信システムにおいて、さらに、
前記オーディオ処理手段を使用できなくし(disabled)、前記データ処理手段を使用可能とする(enabled)よう前記電気通信装置を設定する手段、を備えたことを特徴とするもの。
【請求項８７】
請求項３５から請求項８６のいずれかにかかる通信システムにおいて、
前記電気通信装置は、無線周波数信号を用い、前記電気通信ネットワークと通信する手段、を備えたことを特徴とするもの。
【請求項８８】
請求項８７にかかる通信システムにおいて、
前記電気通信装置は、さらに、ワイヤレスアプリケーションプロトコルに基づき、通信用プロトコルスタックを記憶するデータ記憶装置を、備えたことを特徴とするもの。